(57)【要約】【課題】意外性を与えて、見る人の興味をひくことができる観覧用構造体を提供する。【解決手段】建物２の鉛直状一面６をミラー壁面５に形成する。上下に所定距離Ｘをもって上開口部８と下開口部９を開設する。観覧キャビン４を誘導案内する環状のガイドレール部材１を、建物内部から下開口部９を貫通して、建物外部11へ突出してから上方へ延伸して、建物外部11から上開口部８を貫通して建物内部へ引込まれるように配設する。ガイドレール部材１の外部突出部位３、及び、外部突出部位３を移動する観覧キャビン４を、ミラー壁面５に写し出して、外部突出部位３とその対称写像７とをもって、ループ状形態を描くように構成する。【選択図】図１
2009254732.tif 000002
【特許請求の範囲】
【請求項１】
建物（２）の鉛直状一面（６）がミラー壁面（５）に形成され、かつ、上下に所定距離（Ｘ）をもって上開口部（８）と下開口部（９）を開設し、さらに、観覧キャビン（４）を誘導案内する環状のガイドレール部材（１）は、建物内部（10）から上記下開口部（９）を貫通して、建物外部（11）へ突出してから上方へ延伸して、建物外部（11）から上記上開口部（８）を貫通して建物内部（10）へ引込まれるように配設され、該ガイドレール部材（１）の外部突出部位（３）、及び、該外部突出部位（３）を移動する観覧キャビン（４）を、上記ミラー壁面（５）に写し出して、上記外部突出部位（３）とその対称写像（７）とをもって、ループ状形態を描くように構成したことを特徴とする観覧用構造体。
【請求項２】
環状の上記ガイドレール部材（１）は、長軸（Ｌ）が建物内部（10）から建物外部（11）へ向って上方傾斜状に配設された長円形乃至トラック型であって、上記外部突出部位（３）の形状が、上記ミラー壁面（５）を中心軸（12）とする半ハート形であり、上記ループ状形態が完全ハート形である請求項１記載の観覧用構造体。
【請求項３】
建物（２）の鉛直状一面（６）がミラー壁面（５）に形成され、かつ、該ミラー壁面（５）には開口部（20）を開設し、さらに、観覧キャビン（４）を誘導案内する環状のガイドレール部材（１）は、建物内部（10）から上記開口部（20）を貫通して、建物外部（11）へ突出してから上方へ延伸して、建物屋上（24）の開口部（22）を貫通して建物内部（10）へ引込まれるように配設され、該ガイドレール部材（１）の外部突出部位（３）、及び、該外部突出部位（３）を移動する観覧キャビン（４）を、上記ミラー壁面（５）に写し出して、上記外部突出部位（３）とその対称写像（７）とをもって、ループ状形態を描くように構成したことを特徴とする観覧用構造体。
【発明の詳細な説明】
【技術分野】
【０００１】
本発明は、観覧用構造体に関する。
【背景技術】
【０００２】
従来、単に地面に設置する観覧車とは異なり、建物と観覧車が一体的となった観覧用構造体が本出願人によって過去に提案されている（例えば、特許文献１参照）。
【０００３】
しかし、従来の観覧用構造体は、建物との相対的な位置関係を工夫したものであり、単調な印象しか与えることができなかった。
【特許文献１】特開２００１−１０４６５３号公報
【発明の開示】
【発明が解決しようとする課題】
【０００４】
解決しようとする課題は、単調な印象しか与えることができない点である。また、観覧車と建物とを融合した以外な外観と構造を提供できなかった点である。
【課題を解決するための手段】
【０００５】
そこで、本発明に係る観覧用構造体は、建物の鉛直状一面がミラー壁面に形成され、かつ、上下に所定距離をもって上開口部と下開口部を開設し、さらに、観覧キャビンを誘導案内する環状のガイドレール部材は、建物内部から上記下開口部を貫通して、建物外部へ突出してから上方へ延伸して、建物外部から上記上開口部を貫通して建物内部へ引込まれるように配設され、該ガイドレール部材の外部突出部位、及び、該外部突出部位を移動する観覧キャビンを、上記ミラー壁面に写し出して、上記外部突出部位とその対称写像とをもって、ループ状形態を描くように構成したものである。
【０００６】
また、環状の上記ガイドレール部材は、長軸が建物内部から建物外部へ向って上方傾斜状に配設された長円形乃至トラック型であって、上記外部突出部位の形状が、上記ミラー壁面を中心軸とする半ハート形であり、上記ループ状形態が完全ハート形である。
【０００７】
また、本発明は、建物の鉛直状一面がミラー壁面に形成され、かつ、該ミラー壁面には開口部を開設し、さらに、観覧キャビンを誘導案内する環状のガイドレール部材は、建物内部から上記開口部を貫通して、建物外部へ突出してから上方へ延伸して、建物屋上の開口部を貫通して建物内部へ引込まれるように配設され、該ガイドレール部材の外部突出部位、及び、該外部突出部位を移動する観覧キャビンを、上記ミラー壁面に写し出して、上記外部突出部位とその対称写像とをもって、ループ状形態を描くように構成したものである。
【発明の効果】
【０００８】
本発明の観覧用構造体によれば、観覧車と建物とを外観的に一体融合させた意外なデザイン上の面白さ及び美しさを提供して、見る人の興味をひくことができる。
【発明を実施するための最良の形態】
【０００９】
図１〜図３は、本発明の実施の一形態を示す。この観覧用構造体は、ガイドレール部材１の一部が建物２の外部へ突出しており、その外部突出部位３、及び、外部突出部位３を移動する観覧キャビン４を、建物２のミラー壁面５に写し出して、外部突出部位３とその対称写像７とをもって、ループ状形態を描くように（建物外部11から見えるように）構成されている。
【００１０】
具体的には、建物２の鉛直状一面６がミラー壁面５に形成され、かつ、上下に所定距離Ｘをもって上開口部８と下開口部９が開設されている。さらに、観覧キャビン４を誘導案内する環状のガイドレール部材１は、建物内部10から下開口部９を貫通して、建物外部11へ突出してから上方へ延伸して、建物外部11から上開口部８を貫通して建物内部10へ引込まれるように配設されている。
【００１１】
環状のガイドレール部材１は、長軸Ｌが建物内部10から建物外部11へ向って上方傾斜状に配設された長円形乃至トラック型であって、外部突出部位３の形状が、ミラー壁面５を中心軸12とする半ハート形であり、上記ループ状形態が完全ハート形である。即ち、図１に於て、外部突出部位３は、実線で示すように、半ハート形であり、かつ、ミラー壁面５に写し出された対称写像７は、破線で示すように、対称形の半ハート形であり、従って、実線と破線とを合体したループ状形態は、完全なハート形を呈している。
【００１２】
なお、図２及び図３において、ガイドレール部材１を建物２に連結する支軸等を図示省略した。
本発明は、設計変更可能であって、例えば、ループ状形態が円形、楕円形等になるように、外部突出部位３の形状を半円形、半楕円形に設定するも良い。
【００１３】
次に、図４と図５は、本発明の他の実施の形態を示し、この観覧構造体は、ガイドレール部材１が建物２の屋上24及び鉛直状一面６の稜線を中心とした大きな円形として構成され、ガイドレール部材１は建物２から外部（乃至上方）へ突出している。鉛直状一面６はミラー壁面５である点は前述の実施の一形態と同様であり、外部突出部位３とその対称写像７とをもって、（円形の）ループ状形態を描くように、建物外部11から、見える。
【００１４】
具体的には、ミラー壁面５（一面６）には（１箇所）開口部20が開設され、しかも、屋上24には（他の）開口部22が開設され、観覧キャビン４を誘導案内する（円）環状のガイドレール部材１は、建物内部10から開口部20を貫通して、建物外部11へ大きく突出しつつ上方へ延伸し、屋上24よりも十分に高所まで達した後に下方へ延びて、屋上開口部22を貫通して、建物内部10へ引込まれる。そして、図４に於て、外部突出部位３は実線であり、一部の円弧が隠れているはずであるが、破線で示した写像７によって、（実線と破線とが合体の）ループ状形態（円形）を呈する。なお、図４と図５に於て、ガイドレール部材１を建物２に連結する支持部材を図示省略していると共に、図４では、キャビン４を簡略化して示し、ガイドレール部材への取付枠や誘導輪等も図示省略した。なお、27はプラットホーム（乗降場）を示す。
【００１５】
以上のように、本発明は、建物２の鉛直状一面６がミラー壁面５に形成され、かつ、上下に所定距離Ｘをもって上開口部８と下開口部９を開設し、さらに、観覧キャビン４を誘導案内する環状のガイドレール部材１は、建物内部10から下開口部９を貫通して、建物外部11へ突出してから上方へ延伸して、建物外部11から上開口部８を貫通して建物内部10へ引込まれるように配設され、ガイドレール部材１の外部突出部位３、及び、外部突出部位３を移動する観覧キャビン４を、ミラー壁面５に写し出して、外部突出部位３とその対称写像７とをもって、ループ状形態を描くように構成したので、観覧車と建物とが融合一体化した美しい外観を意外性をもって提供でき、特に、観覧キャビン４及びガイドレール部材１に電飾を付設する等によって、夜景が美しくなる。
【００１６】
また、環状の上記ガイドレール部材１は、長軸Ｌが建物内部10から建物外部11へ向って上方傾斜状に配設された長円形乃至トラック型であって、外部突出部位３の形状が、ミラー壁面５を中心軸12とする半ハート形であり、ループ状形態が完全ハート形であるので、ハートから連想されるメッセージ性（特に、愛）を与えることができる。さらに、建物２内に於て十分に長い範囲にわたりガイドレール部材１を建物鉄骨等の構造体に、強固に連結できて、外部突出部位３を十分に大きく外方突出可能となる。また、建物２内で、ウィンドウショッピングを楽しんだり、リアプロジェクタ等の映像を楽しむこともでき、建物２の外部と内部で２種類の楽しみを与えることが可能となる。
【００１７】
また、本発明は、建物２の鉛直状一面６がミラー壁面５に形成され、かつ、ミラー壁面５には開口部20を開設し、さらに、観覧キャビン４を誘導案内する環状のガイドレール部材１は、建物内部10から開口部20を貫通して、建物外部11へ突出してから上方へ延伸して、建物屋上24の開口部22を貫通して建物内部10へ引込まれるように配設され、ガイドレール部材１の外部突出部位３、及び、外部突出部位３を移動する観覧キャビン４を、ミラー壁面５に写し出して、外部突出部位３とその対称写像７とをもって、ループ状形態を描くように構成したので、（高い）建物の屋上近傍に、観覧車が美しい外観で融合一体化した構造体が得られ、特に、電飾等を容易に取付けることが可能であって、夜景を美しくできる。
【図面の簡単な説明】
【００１８】
【図１】本発明の実施の一形態を示す斜視図である。
【図２】断面側面図である。
【図３】正面図である。
【図４】他の実施の形態の簡略斜視図である。
【図５】断面側面図である。
【符号の説明】
【００１９】
１  ガイドレール部材
２  建物
３  外部突出部位
４  観覧キャビン
５  ミラー壁面
６  鉛直状一面
７  対称写像
８  上開口部
９  下開口部
10  建物内部
11  建物外部
12  中心軸
20, 22  開口部
24  屋上
Ｌ  長軸
Ｘ  所定距離
【図１】
2009254732.tif 000003
【図２】
2009254732.tif 000004
【図３】
2009254732.tif 000005
【図４】
2009254732.tif 000006
【図５】
2009254732.tif 000007